(57)【要約】【課題】本発明はパーティー用水晶ライトを開示した。【解決手段】セードを含み、前記セードの中にはセードチャンバが設置され、前記セードの外側端面にはセード固定リングが設置され、前記セード固定リングはネジ釘によって前記セードを壁面に固定しており、前記セードの中には第一モータが設置され、前記第一モータのうち下に向いた出力軸には回転軸が連結され、前記回転軸の外側には回転できる連結ブロックが設置され、前記連結ブロックの底部端面には台座が設置され、前記回転軸の中には前記台座を制御して前記回転軸と同期的に回転させ又は前記台座を回転させない制御部品が設置され、前記制御部品は前記連結ブロックの中に位置した引掛り連結チャンバを含む。【選択図】図１
2020177896.tif 000002
【特許請求の範囲】
【請求項１】
正面視で、セードを含み、前記セードの中にはセードチャンバが設置され、前記セードの外側端面にはセード固定リングが設置され、前記セード固定リングはネジ釘によって前記セードを壁面に固定しており、前記セードの中には第一モータが設置され、前記第一モータのうち下に向いた出力軸には回転軸が連結され、前記回転軸の外側には回転できる連結ブロックが設置され、前記連結ブロックの底部端面には台座が設置され、前記回転軸の中には前記台座を制御して前記回転軸と同期的に回転させ又は前記台座を回転させない制御部品が設置され、前記制御部品は前記連結ブロックの中に位置した引掛り連結チャンバを含み、前記回転軸には引掛り連結環状ブロックが設置され、前記引掛り連結チャンバの下方には回転チャンバが設置され、前記回転軸の底端には回転ブロックが設置され、前記引掛り連結チャンバの底壁には上方に開口した磁石チャンバが設置され、前記磁石チャンバの中には前記引掛り連結環状ブロックを止める引掛り連結ブロックが設置され、前記台座の中には右方に開口した集光チャンバが設置され、前記集光チャンバの左側壁には電球が設置され、前記集光チャンバの内壁には前記電球の光を収束する集光ブロックが設置され、前記台座には前記電球の光の色と照射方向を制御する灯り部品が設置され、前記セードチャンバの中にはパーティい効果を上げるセード部品が設置されていることを特徴とするパーティー用水晶ライト。
【請求項２】
前記灯り部品は前記台座の頂部端面に位置した四本の前後対称の固定ロッドを含み、前記固定ロッドの頂端には固定板が設置され、前記固定板の底部には第一ローラーが設置され、前記台座の頂部端面には第二モータが設置され、前記第二モータの前側の出力軸には第一線が設置され、前記台座の右端には固定軸が設置され、前記固定軸のところには反射板がヒンジで連結され、前記反射板には糸巻きリングが設置され、前記第一線が前記第一ローラを回ってから前記糸巻きリングに固定的に巻き付けられており、前記台座の中には前後対称の上伝動チャンバが設置され、前記台座の中には前後対称の下伝動チャンバが設置され、前記下伝動チャンバと前記上伝動チャンバの前後壁との間には第二ローダーが回転可能に装着され、前記上伝動チャンバと前記下伝動チャンバとの間には糸巻きチャンバが設置され、前記第二ローラの外側には多色な光透過板が設置され、前記糸巻きチャンバの後側壁の中には第三モータが設置され、前記第三モータの前側の出力軸には糸巻き軸が連結され、前記糸巻き軸には第二線は四本固定的に装着され、最も外側の前記第二線と内側の二本の前記第二線との巻かれた方向が異なり、前記第二線が前記第二ローラを回ってから前記光透過板と連結され、前記集光チャンバの左側壁の中には感光ブロックが設置され、
前記電球が通電した後発光し、前記第二モータが起動して前記反射板を下ろし、光が前記反射板によって反射された後前記セードチャンバの底壁を通って射出され、前記第三モータが起動して前記光透過板をスライド連動させ、光は前記光透過板をすき通った後色が変わることを特徴とする請求項１に記載のパーティー用水晶ライト。
【請求項３】
前記制御部品は前記回転チャンバの内壁の中に位置したベアリングを含み、前記ベアリングと前記回展ブロックの頂部端面とが接触しており、前記引掛り連結環状ブロックの中には上下貫通の引掛り連結溝が設置され、前記磁石チャンバの底壁には電磁台が設置され、前記電磁台の頂端には電磁石が設置され、前記引掛り連結ブロックの底端には磁石が設置され、前記磁石と前記電磁石とは磁力によって吸引し合うことができ、前記磁石チャンバの底壁と前記磁石との間にはばねが設置され、
前記ばねに作用によって前記引掛り連結ブロックが上に押されて前記引掛り連結溝の中に入って前記引掛り連結環状ブロックを固定し、前記回転軸は回転した後前記引掛り連結環状ブロックと、前記連結ブロックと、前記台座とを回転連動させることができ、前記電磁石が通電した後前記磁石と前記引掛り連結ブロックとを吸引し、前記回転軸が回転している時前記連結ブロックと前記台座とが静止状態にあることを特徴とする請求項１に記載のパーティー用水晶ライト。
【請求項４】
前記セード部品は前記回転軸に位置した連結ロッドを含み、前記連結ロッドの端部には七つの弧状ブロックが連結され、左の六つの前記弧状ブロックの中には弧状溝が設置され、右側の六つの前記弧状ブロックの左端面には位置制限ブロックが設置され、前記位置制限ブロックが前記弧状溝の中でスライドでき、左側の前記弧状ブロックの端面には弧状スライドブロックが設置され、前記セードチャンバの内壁の中には案内溝が設置され、前記弧状スライドブロックが前記案内溝の中でスライドでき、前記弧状ブロックの底端には異なった色を有する水晶片が設置され、前記セードチャンバの底壁には回転軸が回転可能に設置され、前記回転軸と前記水晶片とが相対的に回転でき、
前記回転軸の回転により、弧状ブロックが連動して絶えずに広げ、弧状ブロックはセードチャンバの中に回転し始め、射出された光の色は変化し続け、弧状ブロックを収まろうとする時、第一モータを起動して反転させればいいことを特徴とする請求項１に記載のパーティー用水晶ライト。
【発明の詳細な説明】
【技術分野】
【０００１】
本発明は水晶ライト技術分野に関し、具体的にはパーティー用水晶ライトである。
【背景技術】
【０００２】
パーティーする時よく多色な光を発するライトを使い、落ち着いた雰囲気も激しい雰囲気も醸し出すことができ、しかし普段ではあまり使わなく、通常の照明ができなく、浪費を招きかねない。
【先行技術文献】
【特許文献】
【０００３】
【特許文献１】中国特許出願公開第１０３６４４４７２号明細書
【発明の概要】
【発明が解決しようとする課題】
【０００４】
本発明の目的はパーティー用水晶ライトを提供し、それは上記の現在の技術中の問題を解決できる。
【課題を解決するための手段】
【０００５】
上記の課題を解決するため、本発明は以下の技術プランを採用する：パーティー用水晶ライトは、セードを含み、前記セードの中にはセードチャンバが設置され、前記セードの外側端面にはセード固定リングが設置され、前記セード固定リングはネジ釘によって前記セードを壁面に固定しており、前記セードの中には第一モータが設置され、前記第一モータのうち下に向いた出力軸には回転軸が連結され、前記回転軸の外側には回転できる連結ブロックが設置され、前記連結ブロックの底部端面には台座が設置され、前記回転軸の中には前記台座を制御して前記回転軸と同期的に回転させ又は前記台座を回転させない制御部品が設置され、前記制御部品は前記連結ブロックの中に位置した引掛り連結チャンバを含み、前記回転軸には引掛り連結環状ブロックが設置され、前記引掛り連結チャンバの下方には回転チャンバが設置され、前記回転軸の底端には回転ブロックが設置され、前記引掛り連結チャンバの底壁には上方に開口した磁石チャンバが設置され、前記磁石チャンバの中には前記引掛り連結環状ブロックを止める引掛り連結ブロックが設置され、前記台座の中には右方に開口した集光チャンバが設置され、前記集光チャンバの左側壁には電球が設置され、前記集光チャンバの内壁には前記電球の光を収束する集光ブロックが設置され、前記台座には前記電球の光の色と照射方向を制御する灯り部品が設置され、前記セードチャンバの中にはパーティい効果を上げるセード部品が設置されている。
【０００６】
優選的には、前記灯り部品は前記台座の頂部端面に位置した四本の前後対称の固定ロッドを含み、前記固定ロッドの頂端には固定板が設置され、前記固定板の底部には第一ローラーが設置され、前記台座の頂部端面には第二モータが設置され、前記第二モータの前側の出力軸には第一線が設置され、前記台座の右端には固定軸が設置され、前記固定軸のところには反射板がヒンジで連結され、前記反射板には糸巻きリングが設置され、前記第一線が前記第一ローラを回ってから前記糸巻きリングに固定的に巻き付けられており、前記台座の中には前後対称の上伝動チャンバが設置され、前記台座の中には前後対称の下伝動チャンバが設置され、前記下伝動チャンバと前記上伝動チャンバの前後壁との間には第二ローダーが回転可能に装着され、前記上伝動チャンバと前記下伝動チャンバとの間には糸巻きチャンバが設置され、前記第二ローラの外側には多色な光透過板が設置され、前記糸巻きチャンバの後側壁の中には第三モータが設置され、前記第三モータの前側の出力軸には糸巻き軸が連結され、前記糸巻き軸には第二線は四本固定的に装着され、最も外側の前記第二線と内側の二本の前記第二線との巻かれた方向が異なり、前記第二線が前記第二ローラを回ってから前記光透過板と連結され、前記集光チャンバの左側壁の中には感光ブロックが設置されている。
【０００７】
前記制御部品は前記回転チャンバの内壁の中に位置したベアリングを含み、前記ベアリングと前記回展ブロックの頂部端面とが接触しており、前記引掛り連結環状ブロックの中には上下貫通の引掛り連結溝が設置され、前記磁石チャンバの底壁には電磁台が設置され、前記電磁台の頂端には電磁石が設置され、前記引掛り連結ブロックの底端には磁石が設置され、前記磁石と前記電磁石とは磁力によって吸引し合うことができ、前記磁石チャンバの底壁と前記磁石との間にはばねが設置されている。
【０００８】
前記セード部品は前記回転軸に位置した連結ロッドを含み、前記連結ロッドの端部には七つの弧状ブロックが連結され、左の六つの前記弧状ブロックの中には弧状溝が設置され、右側の六つの前記弧状ブロックの左端面には位置制限ブロックが設置され、前記位置制限ブロックが前記弧状溝の中でスライドでき、左側の前記弧状ブロックの端面には弧状スライドブロックが設置され、前記セードチャンバの内壁の中には案内溝が設置され、前記弧状スライドブロックが前記案内溝の中でスライドでき、前記弧状ブロックの底端には異なった色を有する水晶片が設置され、前記セードチャンバの底壁には回転軸が回転可能に設置され、前記回転軸と前記水晶片とが相対的に回転できる。
【発明の効果】
【０００９】
本発明の有益効果は：本発明は構造が簡単で、操作が便利で、普段の使用中、光透過板によって光の色を変えられ、異なった色の照明効果を出せ、パーティーの時に水晶片を広げ、光は異なった色の水晶片に射されて異なった色効果ができ、雰囲気を醸し出すことができ、宣伝価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のパーティー用水晶ライトの全体構造略図
【図２】図２は台座と連結ブロックのところの構造略図
【図３】図３はセード部品の上面構造図
【図４】図４は図１におけるＡの拡大略図
【図５】図５は図２におけるＢ―Ｂ方向の断面構造略図
【図６】図６は図２におけるＣの拡大略図
【発明を実施するための形態】
【００１２】
図１〜６を参照し、本発明の実施例におけるパーティー用水晶ライトは、セード１０を含み、前記セード１０の中にはセードチャンバ１６が設置され、前記セード１６の外側端面にはセード固定リング１１が設置され、前記セード固定リング１１はネジ釘によって前記セード１０を壁面に固定しており、前記セード１０の中には第一モータ１２が設置され、前記第一モータ１２のうち下に向いた出力軸には回転軸１４が連結され、前記回転軸１４の外側には回転できる連結ブロック２１が設置され、前記連結ブロック２１の底部端面には台座３６が設置され、前記回転軸１４の中には前記台座３６を制御して前記回転軸１４と同期的に回転させ又は前記台座３６を回転させない制御部品９０１が設置され、前記制御部品９０１は前記連結ブロック２１の中に位置した引掛り連結チャンバ２０を含み、前記回転軸１４には引掛り連結環状ブロック１７が設置され、前記引掛り連結チャンバ２０の下方には回転チャンバ２２が設置され、前記回転軸１４の底端には回転ブロック２４が設置され、前記引掛り連結チャンバ２０の底壁には上方に開口した磁石チャンバ６１が設置され、前記磁石チャンバ６１の中には前記引掛り連結環状ブロック１７を止める引掛り連結ブロック５７が設置され、前記台座３６の中には右方に開口した集光チャンバ３５が設置され、前記集光チャンバ３５の左側壁には電球４２が設置され、前記集光チャンバ３５の内壁には前記電球４２の光を収束する集光ブロック４１が設置され、前記台座３６には前記電球４２の光の色と照射方向を制御する灯り部品９０２が設置され、前記セードチャンバ１６の中にはパーティい効果を上げるセード部品９０３が設置されている。
【００１３】
前記灯り部品９０２は前記台座３６の頂部端面に位置した四本の前後対称の固定ロッド２６を含み、前記固定ロッド２６の頂端には固定板２７が設置され、前記固定板２７の底部には第一ローラー３０が設置され、前記台座３６の頂部端面には第二モータ２５が設置され、前記第二モータ２５の前側の出力軸には第一線２８が設置され、前記台座３６の右端には固定軸３１が設置され、前記固定軸３１のところには反射板３２がヒンジで連結され、前記反射板３２には糸巻きリング３３が設置され、前記第一線２８が前記第一ローラ３０を回ってから前記糸巻きリング３３に固定的に巻き付けられており、前記台座３６の中には前後対称の上伝動チャンバ３８が設置され、前記台座３６の中には前後対称の下伝動チャンバ３７が設置され、前記下伝動チャンバ３７と前記上伝動チャンバ３８の前後壁との間には第二ローダー４０が回転可能に装着され、前記上伝動チャンバ３８と前記下伝動チャンバ３７との間には糸巻きチャンバ４３が設置され、前記第二ローラ４０の外側には多色な光透過板３４が設置され、前記糸巻きチャンバ４３の後側壁の中には第三モータ５４が設置され、前記第三モータ５４の前側の出力軸には糸巻き軸５６が連結され、前記糸巻き軸５６には第二線４５は四本固定的に装着され、最も外側の前記第二線４５と内側の二本の前記第二線４５との巻かれた方向が異なり、前記第二線４５が前記第二ローラ４０を回ってから前記光透過板３４と連結され、前記集光チャンバ３５の左側壁の中には感光ブロック４４が設置され、
前記電球４２が通電した後発光し、前記第二モータ２５が起動して前記反射板３２を下ろし、光が前記反射板３２によって反射された後前記セードチャンバ１６の底壁を通って射出され、前記第三モータ５４が起動して前記光透過板３４をスライド連動させ、光は前記光透過板３４をすき通った後色が変わる。
【００１４】
前記制御部品９０１は前記回転チャンバ２２の内壁の中に位置したベアリング２３を含み、前記ベアリング２３と前記回展ブロック２４の頂部端面とが接触しており、前記引掛り連結環状ブロック１７の中には上下貫通の引掛り連結溝１８が設置され、前記磁石チャンバ６１の底壁には電磁台６３が設置され、前記電磁台６３の頂端には電磁石６０が設置され、前記引掛り連結ブロック５７の底端には磁石５８が設置され、前記磁石５８と前記電磁石６０とは磁力によって吸引し合うことができ、前記磁石チャンバ６１の底壁と前記磁石５８との間にはばね６２が設置され、
前記ばね６２に作用によって前記引掛り連結ブロック５７が上に押されて前記引掛り連結溝１８の中に入って前記引掛り連結環状ブロック１７を固定し、前記回転軸１４は回転した後前記引掛り連結環状ブロック１７と、前記連結ブロック２１と、前記台座３６とを回転連動させることができ、前記電磁石６０が通電した後前記磁石５８と前記引掛り連結ブロック５７とを吸引し、前記回転軸１４が回転している時前記連結ブロック２１と前記台座３６とが静止状態にある。
【００１５】
前記セード部品９０３は前記回転軸１４に位置した連結ロッド１３を含み、前記連結ロッド１３の端部には七つの弧状ブロック４８が連結され、左の六つの前記弧状ブロック４８の中には弧状溝５２が設置され、右側の六つの前記弧状ブロック４８の左端面には位置制限ブロック５１が設置され、前記位置制限ブロック５１が前記弧状溝５２の中でスライドでき、左側の前記弧状ブロック４８の端面には弧状スライドブロック４６が設置され、前記セードチャンバ１６の内壁の中には案内溝１５が設置され、前記弧状スライドブロック４６が前記案内溝１５の中でスライドでき、前記弧状ブロック４８の底端には異なった色を有する水晶片５３が設置され、前記セードチャンバ１６の底壁には回転軸５０が回転可能に設置され、前記回転軸５０と前記水晶片５３とが相対的に回転でき、
前記回転軸１４の回転により、弧状ブロック４８が連動して絶えずに広げ、弧状ブロック４８はセードチャンバ１６の中に回転し始め、射出された光の色は変化し続け、弧状ブロック４８を収まろうとする時、第一モータ１２を起動して反転させればいい。
【００１６】
電球４２が通電して発光し、集光ブロック４１の作用によって電球４２から発された光を集めてセードチャンバ１６の側壁を通って射出し、第二モータ２５が起動して第一線２８を緩ませて反射板３２を下ろし、光が反射板３２に反射されたらセードチャンバ１６の底壁を通って射出され、第三モータ５４が起動して糸巻き軸５６を回転連動させ、糸巻き軸５６が第二線４５を繰り入れ又は繰り出すことで光透過板３４をスライド連動させ、光は光透過板３４をすき通った後色が変わり、感光ブロック４４は電球４２が光ったかどうかを検出し、電球４２が長時間光らない状態にあると、第三モータ５４が起動して光透過板３４を上伝動チャンバ３８の中に移動し、電球４２は短時間内で何度も点くと、点くたびに第三モータ５４は糸巻き軸５６を十周回転連動させ、光の色を一回変える。
【００１７】
第一モータ１２が起動し、回転軸１４が回転し始めて連結ロッド１３と弧状ブロック４８とを回転連動させ、回転軸１４の回転に伴い弧状ブロック４８が伸び続け、完全に伸びた後回転軸１４が回転し続け、弧状ブロック４８を連動させてセードチャンバ１６の中で回転し始め、射出された光の色が絶えずに変化し、弧状ブロック４８を収まろうとする時、第一モータ１２を起動して反転させればいい。
【００１８】
重力の作用によって台座３６と連結ブロック２１とがベアリング２３と回転ブロック２４の端部とを接触連動させ、ばね６２の作用によって引掛り連結ブロック５７が上に押されて引掛り連結溝１８の中に入って引掛り連結環状ブロック１７を固定し、回転軸１４が回転した後引掛り連結環状ブロック１７と、連結ブロック２１と、台座３６とを回転連動させ、電磁石６０が通電した後磁石５８と引掛り連結ブロック５７とを吸引し、回転軸１４が回転する時連結ブロック２１と台座３６とが静止状態にある。
【００１９】
本発明の有益効果は：本発明は構造が簡単で、操作が便利で、普段の使用中、光透過板によって光の色を変えられ、異なった色の照明効果を出せ、パーティーの時に水晶片を広げ、光は異なった色の水晶片に射されて異なった色効果ができ、雰囲気を醸し出すことができ、宣伝価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177896.tif 000003
【図２】
2020177896.tif 000004
【図３】
2020177896.tif 000005
【図４】
2020177896.tif 000006
【図５】
2020177896.tif 000007
【図６】
2020177896.tif 000008
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
正面視で、セードを含み、前記セードの中にはセードチャンバが設置され、前記セードの外側端面にはセード固定リングが設置され、前記セード固定リングはネジ釘によって前記セードを壁面に固定しており、前記セードの中には第一モータが設置され、前記第一モータのうち下に向いた出力軸には回転軸が連結され、前記回転軸の外側には回転できる連結ブロックが設置され、前記連結ブロックの底部端面には台座が設置され、前記連結ブロックの中には前記台座を制御して前記回転軸と同期的に回転させ又は前記台座を回転させない制御部品が設置され、前記制御部品は前記連結ブロックの中に位置した引掛り連結チャンバを含み、前記回転軸には引掛り連結環状ブロックが設置され、前記引掛り連結チャンバの下方には回転チャンバが設置され、前記回転軸の底端には回転ブロックが設置され、前記引掛り連結チャンバの底壁には上方に開口した磁石チャンバが設置され、前記磁石チャンバの中には前記引掛り連結環状ブロックを止める引掛り連結ブロックが設置され、前記台座の中には右方に開口した集光チャンバが設置され、前記集光チャンバの左側壁には電球が設置され、前記集光チャンバの内壁には前記電球の光を収束する集光ブロックが設置され、前記台座には前記電球の光の色と照射方向を制御する灯り部品が設置され、前記セードチャンバの中にはパーティー効果を上げるセード部品が設置されていることを特徴とするパーティー用水晶ライト。
【請求項２】
前記灯り部品は前記台座の頂部端面に位置した四本の前後対称の固定ロッドを含み、前記固定ロッドの頂端には固定板が設置され、前記固定板の底部には第一ローラが設置され、前記台座の頂部端面には第二モータが設置され、前記第二モータの前側の出力軸には第一線が設置され、前記台座の右端には固定軸が設置され、前記固定軸のところには反射板がヒンジで連結され、前記反射板には糸巻きリングが設置され、前記第一線が前記第一ローラを回ってから前記糸巻きリングに固定的に巻き付けられており、前記台座の中には前後対称の上伝動チャンバが設置され、前記台座の中には前後対称の下伝動チャンバが設置され、前記下伝動チャンバと前記上伝動チャンバの前後壁との間には第二ローラが回転可能に装着され、前記上伝動チャンバと前記下伝動チャンバとの間には糸巻きチャンバが設置され、前記第二ローラの外側には多色な光透過板が設置され、前記糸巻きチャンバの後側壁の中には第三モータが設置され、前記第三モータの前側の出力軸には糸巻き軸が連結され、前記糸巻き軸には第二線は四本固定的に装着され、最も外側の前記第二線と内側の二本の前記第二線との巻かれた方向が異なり、前記第二線が前記第二ローラを回ってから前記光透過板と連結され、前記集光チャンバの左側壁の中には感光ブロックが設置され、前記電球が通電した後発光し、前記第二モータが起動して前記反射板を下ろし、光が前記反射板によって反射された後前記セードチャンバの底壁を通って射出され、前記第三モータが起動して前記光透過板をスライド連動させ、光は前記光透過板をすき通った後色が変わることを特徴とする請求項１に記載のパーティー用水晶ライト。
【請求項３】
前記制御部品は前記回転チャンバの内壁の中に位置したベアリングを含み、前記ベアリングと前記回転ブロックの頂部端面とが接触しており、前記引掛り連結環状ブロックの中には上下貫通の引掛り連結溝が設置され、前記磁石チャンバの底壁には電磁台が設置され、前記電磁台の頂端には電磁石が設置され、前記引掛り連結ブロックの底端には磁石が設置され、前記磁石と前記電磁石とは磁力によって吸引し合うことができ、前記磁石チャンバの底壁と前記磁石との間にはばねが設置され、前記ばねに作用によって前記引掛り連結ブロックが上に押されて前記引掛り連結溝の中に入って前記引掛り連結環状ブロックを固定し、前記回転軸は回転した後前記引掛り連結環状ブロックと、前記連結ブロックと、前記台座とを回転連動させることができ、前記電磁石が通電した後前記磁石と前記引掛り連結ブロックとを吸引し、前記回転軸が回転している時前記連結ブロックと前記台座とが静止状態にあることを特徴とする請求項１に記載のパーティー用水晶ライト。
【請求項４】
前記セード部品は前記回転軸に位置した連結ロッドを含み、前記連結ロッドの端部には七つの弧状ブロックが連結され、左の六つの前記弧状ブロックの中には弧状溝が設置され、右側の六つの前記弧状ブロックの左端面には位置制限ブロックが設置され、前記位置制限ブロックが前記弧状溝の中でスライドでき、左側の前記弧状ブロックの端面には弧状スライドブロックが設置され、前記セードチャンバの内壁の中には案内溝が設置され、前記弧状スライドブロックが前記案内溝の中でスライドでき、前記弧状ブロックの底端には異なった色を有する水晶片が設置され、前記セードチャンバの底壁には回転軸が回転可能に設置され、前記回転軸と前記水晶片とが相対的に回転でき、前記回転軸の回転により、弧状ブロックが連動して絶えず広げられており、弧状ブロックはセードチャンバの中で回転し始められ、射出された光の色は変化し続け、弧状ブロックを収めようとする時、第一モータを起動して反転させることを特徴とする請求項１に記載のパーティー用水晶ライト。
【手続補正２】
【補正対象書類名】明細書
【補正対象項目名】全文
【補正方法】変更
【補正の内容】
【発明の詳細な説明】
【技術分野】
【０００１】
本発明は水晶ライト技術分野に関し、具体的にはパーティー用水晶ライトである。
【背景技術】
【０００２】
パーティーする時よく多色な光を発するライトを使い、落ち着いた雰囲気も激しい雰囲気も醸し出すことができ、しかし普段ではあまり使わなく、通常の照明ができなく、浪費を招きかねない。
【先行技術文献】
【特許文献】
【０００３】
【特許文献１】中国特許出願公開第１０３６４４４７２号明細書
【発明の概要】
【発明が解決しようとする課題】
【０００４】
本発明の目的はパーティー用水晶ライトを提供し、それは上記の現在の技術中の問題を解決できる。
【課題を解決するための手段】
【０００５】
上記の課題を解決するため、本発明は以下の技術プランを採用する：パーティー用水晶ライトは、セードを含み、前記セードの中にはセードチャンバが設置され、前記セードの外側端面にはセード固定リングが設置され、前記セード固定リングはネジ釘によって前記セードを壁面に固定しており、前記セードの中には第一モータが設置され、前記第一モータのうち下に向いた出力軸には回転軸が連結され、前記回転軸の外側には回転できる連結ブロックが設置され、前記連結ブロックの底部端面には台座が設置され、前記連結ブロックの中には前記台座を制御して前記回転軸と同期的に回転させ又は前記台座を回転させない制御部品が設置され、前記制御部品は前記連結ブロックの中に位置した引掛り連結チャンバを含み、前記回転軸には引掛り連結環状ブロックが設置され、前記引掛り連結チャンバの下方には回転チャンバが設置され、前記回転軸の底端には回転ブロックが設置され、前記引掛り連結チャンバの底壁には上方に開口した磁石チャンバが設置され、前記磁石チャンバの中には前記引掛り連結環状ブロックを止める引掛り連結ブロックが設置され、前記台座の中には右方に開口した集光チャンバが設置され、前記集光チャンバの左側壁には電球が設置され、前記集光チャンバの内壁には前記電球の光を収束する集光ブロックが設置され、前記台座には前記電球の光の色と照射方向を制御する灯り部品が設置され、前記セードチャンバの中にはパーティー効果を上げるセード部品が設置されている。
【０００６】
優選的には、前記灯り部品は前記台座の頂部端面に位置した四本の前後対称の固定ロッドを含み、前記固定ロッドの頂端には固定板が設置され、前記固定板の底部には第一ローラが設置され、前記台座の頂部端面には第二モータが設置され、前記第二モータの前側の出力軸には第一線が設置され、前記台座の右端には固定軸が設置され、前記固定軸のところには反射板がヒンジで連結され、前記反射板には糸巻きリングが設置され、前記第一線が前記第一ローラを回ってから前記糸巻きリングに固定的に巻き付けられており、前記台座の中には前後対称の上伝動チャンバが設置され、前記台座の中には前後対称の下伝動チャンバが設置され、前記下伝動チャンバと前記上伝動チャンバの前後壁との間には第二ローラが回転可能に装着され、前記上伝動チャンバと前記下伝動チャンバとの間には糸巻きチャンバが設置され、前記第二ローラの外側には多色な光透過板が設置され、前記糸巻きチャンバの後側壁の中には第三モータが設置され、前記第三モータの前側の出力軸には糸巻き軸が連結され、前記糸巻き軸には第二線は四本固定的に装着され、最も外側の前記第二線と内側の二本の前記第二線との巻かれた方向が異なり、前記第二線が前記第二ローラを回ってから前記光透過板と連結され、前記集光チャンバの左側壁の中には感光ブロックが設置されている。
【０００７】
前記制御部品は前記回転チャンバの内壁の中に位置したベアリングを含み、前記ベアリングと前記回転ブロックの頂部端面とが接触しており、前記引掛り連結環状ブロックの中には上下貫通の引掛り連結溝が設置され、前記磁石チャンバの底壁には電磁台が設置され、前記電磁台の頂端には電磁石が設置され、前記引掛り連結ブロックの底端には磁石が設置され、前記磁石と前記電磁石とは磁力によって吸引し合うことができ、前記磁石チャンバの底壁と前記磁石との間にはばねが設置されている。
【０００８】
前記セード部品は前記回転軸に位置した連結ロッドを含み、前記連結ロッドの端部には七つの弧状ブロックが連結され、左の六つの前記弧状ブロックの中には弧状溝が設置され、右側の六つの前記弧状ブロックの左端面には位置制限ブロックが設置され、前記位置制限ブロックが前記弧状溝の中でスライドでき、左側の前記弧状ブロックの端面には弧状スライドブロックが設置され、前記セードチャンバの内壁の中には案内溝が設置され、前記弧状スライドブロックが前記案内溝の中でスライドでき、前記弧状ブロックの底端には異なった色を有する水晶片が設置され、前記セードチャンバの底壁には回転軸が回転可能に設置され、前記回転軸と前記水晶片とが相対的に回転できる。
【発明の効果】
【０００９】
本発明の有益効果は：本発明は構造が簡単で、操作が便利で、普段の使用中、光透過板によって光の色を変えられ、異なった色の照明効果を出せ、パーティーの時に水晶片を広げ、光は異なった色の水晶片に射されて異なった色効果ができ、雰囲気を醸し出すことができ、宣伝価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のパーティー用水晶ライトの全体構造略図
【図２】図２は台座と連結ブロックのところの構造略図
【図３】図３はセード部品の上面構造図
【図４】図４は図１におけるＡの拡大略図
【図５】図５は図２におけるＢ―Ｂ方向の断面構造略図
【図６】図６は図２におけるＣの拡大略図
【発明を実施するための形態】
【００１２】
図１〜６を参照し、本発明の実施例におけるパーティー用水晶ライトは、セード１０を含み、前記セード１０の中にはセードチャンバ１６が設置され、前記セード１６の外側端面にはセード固定リング１１が設置され、前記セード固定リング１１はネジ釘によって前記セード１０を壁面に固定しており、前記セード１０の中には第一モータ１２が設置され、前記第一モータ１２のうち下に向いた出力軸には回転軸１４が連結され、前記回転軸１４の外側には回転できる連結ブロック２１が設置され、前記連結ブロック２１の底部端面には台座３６が設置され、前記連結ブロック２１の中には前記台座３６を制御して前記回転軸１４と同期的に回転させ又は前記台座３６を回転させない制御部品９０１が設置され、前記制御部品９０１は前記連結ブロック２１の中に位置した引掛り連結チャンバ２０を含み、前記回転軸１４には引掛り連結環状ブロック１７が設置され、前記引掛り連結チャンバ２０の下方には回転チャンバ２２が設置され、前記回転軸１４の底端には回転ブロック２４が設置され、前記引掛り連結チャンバ２０の底壁には上方に開口した磁石チャンバ６１が設置され、前記磁石チャンバ６１の中には前記引掛り連結環状ブロック１７を止める引掛り連結ブロック５７が設置され、前記台座３６の中には右方に開口した集光チャンバ３５が設置され、前記集光チャンバ３５の左側壁には電球４２が設置され、前記集光チャンバ３５の内壁には前記電球４２の光を収束する集光ブロック４１が設置され、前記台座３６には前記電球４２の光の色と照射方向を制御する灯り部品９０２が設置され、前記セードチャンバ１６の中にはパーティー効果を上げるセード部品９０３が設置されている。
【００１３】
前記灯り部品９０２は前記台座３６の頂部端面に位置した四本の前後対称の固定ロッド２６を含み、前記固定ロッド２６の頂端には固定板２７が設置され、前記固定板２７の底部には第一ローラ３０が設置され、前記台座３６の頂部端面には第二モータ２５が設置され、前記第二モータ２５の前側の出力軸には第一線２８が設置され、前記台座３６の右端には固定軸３１が設置され、前記固定軸３１のところには反射板３２がヒンジで連結され、前記反射板３２には糸巻きリング３３が設置され、前記第一線２８が前記第一ローラ３０を回ってから前記糸巻きリング３３に固定的に巻き付けられており、前記台座３６の中には前後対称の上伝動チャンバ３８が設置され、前記台座３６の中には前後対称の下伝動チャンバ３７が設置され、前記下伝動チャンバ３７と前記上伝動チャンバ３８の前後壁との間には第二ローラ４０が回転可能に装着され、前記上伝動チャンバ３８と前記下伝動チャンバ３７との間には糸巻きチャンバ４３が設置され、前記第二ローラ４０の外側には多色な光透過板３４が設置され、前記糸巻きチャンバ４３の後側壁の中には第三モータ５４が設置され、前記第三モータ５４の前側の出力軸には糸巻き軸５６が連結され、前記糸巻き軸５６には第二線４５は四本固定的に装着され、最も外側の前記第二線４５と内側の二本の前記第二線４５との巻かれた方向が異なり、前記第二線４５が前記第二ローラ４０を回ってから前記光透過板３４と連結され、前記集光チャンバ３５の左側壁の中には感光ブロック４４が設置され、前記電球４２が通電した後発光し、前記第二モータ２５が起動して前記反射板３２を下ろし、光が前記反射板３２によって反射された後前記セードチャンバ１６の底壁を通って射出され、前記第三モータ５４が起動して前記光透過板３４をスライド連動させ、光は前記光透過板３４をすき通った後色が変わる。
【００１４】
前記制御部品９０１は前記回転チャンバ２２の内壁の中に位置したベアリング２３を含み、前記ベアリング２３と前記回転ブロック２４の頂部端面とが接触しており、前記引掛り連結環状ブロック１７の中には上下貫通の引掛り連結溝１８が設置され、前記磁石チャンバ６１の底壁には電磁台６３が設置され、前記電磁台６３の頂端には電磁石６０が設置され、前記引掛り連結ブロック５７の底端には磁石５８が設置され、前記磁石５８と前記電磁石６０とは磁力によって吸引し合うことができ、前記磁石チャンバ６１の底壁と前記磁石５８との間にはばね６２が設置され、前記ばね６２に作用によって前記引掛り連結ブロック５７が上に押されて前記引掛り連結溝１８の中に入って前記引掛り連結環状ブロック１７を固定し、前記回転軸１４は回転した後前記引掛り連結環状ブロック１７と、前記連結ブロック２１と、前記台座３６とを回転連動させることができ、前記電磁石６０が通電した後前記磁石５８と前記引掛り連結ブロック５７とを吸引し、前記回転軸１４が回転している時前記連結ブロック２１と前記台座３６とが静止状態にある。
【００１５】
前記セード部品９０３は前記回転軸１４に位置した連結ロッド１３を含み、前記連結ロッド１３の端部には七つの弧状ブロック４８が連結され、左の六つの前記弧状ブロック４８の中には弧状溝５２が設置され、右側の六つの前記弧状ブロック４８の左端面には位置制限ブロック５１が設置され、前記位置制限ブロック５１が前記弧状溝５２の中でスライドでき、左側の前記弧状ブロック４８の端面には弧状スライドブロック４６が設置され、前記セードチャンバ１６の内壁の中には案内溝１５が設置され、前記弧状スライドブロック４６が前記案内溝１５の中でスライドでき、前記弧状ブロック４８の底端には異なった色を有する水晶片５３が設置され、前記セードチャンバ１６の底壁には回転軸５０が回転可能に設置され、前記回転軸５０と前記水晶片５３とが相対的に回転でき、前記回転軸１４の回転により、弧状ブロック４８が連動して絶えず広げられており、弧状ブロック４８はセードチャンバ１６の中で回転し始められ、射出された光の色は変化し続け、弧状ブロック４８を収めようとする時、第一モータ１２を起動して反転させる。
【００１６】
電球４２が通電して発光し、集光ブロック４１の作用によって電球４２から発された光を集めてセードチャンバ１６の側壁を通って射出し、第二モータ２５が起動して第一線２８を緩ませて反射板３２を下ろし、光が反射板３２に反射されたらセードチャンバ１６の底壁を通って射出され、第三モータ５４が起動して糸巻き軸５６を回転連動させ、糸巻き軸５６が第二線４５を繰り入れ又は繰り出すことで光透過板３４をスライド連動させ、光は光透過板３４をすき通った後色が変わり、感光ブロック４４は電球４２が光ったかどうかを検出し、電球４２が長時間光らない状態にあると、第三モータ５４が起動して光透過板３４を上伝動チャンバ３８の中に移動し、電球４２は短時間内で何度も点くと、点くたびに第三モータ５４は糸巻き軸５６を十周回転連動させ、光の色を一回変える。
【００１７】
第一モータ１２が起動し、回転軸１４が回転し始めて連結ロッド１３と弧状ブロック４８とを回転連動させ、回転軸１４の回転に伴い弧状ブロック４８が伸び続け、完全に伸びた後回転軸１４が回転し続け、弧状ブロック４８が連動してセードチャンバ１６の中で回転し始められ、射出された光の色が絶えず変化し、弧状ブロック４８を収めようとする時、第一モータ１２を起動して反転させる。
【００１８】
重力の作用によって台座３６と連結ブロック２１とがベアリング２３と回転ブロック２４の端部とを接触連動させ、ばね６２の作用によって引掛り連結ブロック５７が上に押されて引掛り連結溝１８の中に入って引掛り連結環状ブロック１７を固定し、回転軸１４が回転した後引掛り連結環状ブロック１７と、連結ブロック２１と、台座３６とを回転連動させ、電磁石６０が通電した後磁石５８と引掛り連結ブロック５７とを吸引し、回転軸１４が回転する時に連結ブロック２１と台座３６とが静止状態にある。
【００１９】
本発明の有益効果は：本発明は構造が簡単で、操作が便利で、普段の使用中、光透過板によって光の色を変えられ、異なった色の照明効果を出せ、パーティーの時に水晶片を広げ、光は異なった色の水晶片に射されて異なった色効果ができ、雰囲気を醸し出すことができ、宣伝価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正３】
【補正対象書類名】図面
【補正対象項目名】図２
【補正方法】変更
【補正の内容】
【図２】
2020177896.tif 000009